(57)【要約】【課題】適用畳数が異なる複数タイプの照明器具に搭載する電源装置が共通部品であっても、光源から発光される光の光束の最小値を調整できる光源モジュールを提供する。【解決手段】光源モジュール７は、少なくとも１つの光源と、光源基板７０と、調整部７５とを備える。光源基板７０は、導電パターン７６０を有する。導電パターン７６０は、少なくとも１つの光源を直列に接続する。光源基板７０には、少なくとも１つの光源が配置される。調整部７５は、少なくとも１つの光源に導電パターン７６０を介して供給される供給電流の電流値を調整する。導電パターン７６０には、外部の電源装置から第１最低電流値が一定の外部電流が供給される。調整部７５は、導電パターン７６０に接続する。調整部７５は、少なくとも１つの光源の数と第１最低電流値とに応じて供給電流の第２最低電流値を調整する。【選択図】図６
2020053318.tif 000002
【特許請求の範囲】
【請求項１】
少なくとも１つの光源と、
前記少なくとも１つの光源を直列に接続する導電パターンを有し、前記少なくとも１つの光源が配置される光源基板と、
前記少なくとも１つの光源に前記導電パターンを介して供給される供給電流の電流値を調整する調整部と
を備え、
前記導電パターンには、外部の電源装置から第１最低電流値が一定の外部電流が供給され、
前記調整部は、前記導電パターンに接続して、前記少なくとも１つの光源の数と前記第１最低電流値とに応じて前記供給電流の第２最低電流値を調整する、光源モジュール。
【請求項２】
前記少なくとも１つの光源は、前記導電パターンの一端に接続する第１光源を含み、
前記調整部は、前記一端と前記第１光源との間において前記導電パターンに接続する、請求項１に記載の光源モジュール。
【請求項３】
前記調整部は、前記少なくとも１つの光源に対して直列に接続する、請求項１又は請求項２に記載の光源モジュール。
【請求項４】
前記調整部は、前記少なくとも１つの光源に対して並列に接続する、請求項１又は請求項２に記載の光源モジュール。
【請求項５】
前記調整部は、少なくとも１つの抵抗器を含む、請求項１〜請求項４のいずれか１項に記載の光源モジュール。
【請求項６】
前記少なくとも１つの抵抗器の合成抵抗値は、前記少なくとも１つの光源の数と前記第１最低電流値とに応じた値を有する、請求項５に記載の光源モジュール。
【請求項７】
前記少なくとも１つの抵抗器の合成抵抗値は、前記少なくとも１つの光源の数が増加するほど大きくなる、請求項５又は請求項６に記載の光源モジュール。
【請求項８】
前記少なくとも１つの光源は、第１発光素子を有する光源と、第２発光素子を有する光源とを含み、
前記第１発光素子は、前記第２発光素子が発光する光の相関色温度とは異なる相関色温度の光を発光し、
前記調整部は、前記導電パターンを介して、前記第１発光素子及び前記第２発光素子のうちの少なくとも一方に接続する、請求項１〜請求項７のいずれか１項に記載の光源モジュール。
【請求項９】
請求項１〜請求項８のいずれか１項に記載の光源モジュールと、
前記導電パターンに前記外部電流を供給する電源装置と
を備える、照明器具。
【発明の詳細な説明】
【技術分野】
【０００１】
本発明は、光源モジュール、及び照明器具に関する。
【背景技術】
【０００２】
光源としてＬＥＤ（Ｌｉｇｈｔ  Ｅｍｉｔｔｉｎｇ  Ｄｉｏｄｅ）素子を備えるＬＥＤ照明装置が知られている。例えば、特許文献１には、適用畳数に応じてＬＥＤ素子の数が異なるＬＥＤ照明装置が開示されている。適用畳数は、ＬＥＤ照明装置が使用される部屋の最適な広さを示す。特許文献１には、３つのタイプのＬＥＤモジュールが開示されている。３つのタイプのＬＥＤモジュールは、それぞれ適用畳数が異なる。ＬＥＤモジュールは、ＬＥＤ基板、及び複数のＬＥＤ素子を有する。ＬＥＤ基板には、電源装置から定電流が供給される。ＬＥＤ基板には、複数のＬＥＤ素子が実装される。ＬＥＤ基板は、複数のＬＥＤ素子に定電流を供給する。特許文献１には、適用畳数に応じて、ＬＥＤ基板に実装されるＬＥＤ素子の数が異なることが開示されている。
【先行技術文献】
【特許文献】
【０００３】
【特許文献１】特開２００１７−１８８３８９号公報
【発明の概要】
【発明が解決しようとする課題】
【０００４】
しかしながら、特許文献１に開示の照明装置では、電源装置が各タイプに共通して使用する共通部品である場合、３つのタイプのＬＥＤモジュールのいずれかにおいて、適切な電流値の電流が光源に供給されない場合がある。具体的には、電源装置から供給される電流の最低電流値を、適用畳数が比較的大きいタイプの照明器具に対応させた場合、適用畳数が比較的小さいタイプの照明器具において、適切な電流値よりも大きい電流値の電流が光源に流れる。この結果、適用畳数が比較的小さいタイプの照明器具において、光源から発光される光の光束の最小値が大きくなる場合がある。一方、電源装置から供給される電流の最低電流値を、適用畳数が比較的小さいタイプの照明器具に対応させた場合、適用畳数が比較的大きいタイプの照明器具において、適切な電流値よりも小さい電流値の電流が光源に流れる。この結果、適用畳数が比較的大きいタイプの照明器具において、光源から発光される光の光束の最小値が小さくなる場合がある。
【０００５】
本発明は上記課題に鑑み、適用畳数が異なる複数タイプの照明器具に搭載する電源装置が共通部品であっても、光源から発光される光の光束の最小値を調整できる光源モジュール及び照明器具を提供することを目的とする。
【課題を解決するための手段】
【０００６】
本願に開示する光源モジュールは、少なくとも１つの光源と、光源基板と、調整部とを備える。前記光源基板は、導電パターンを有する。前記導電パターンは、前記少なくとも１つの光源を直列に接続する。前記光源基板には、前記少なくとも１つの光源が配置される。前記調整部は、前記少なくとも１つの光源に前記導電パターンを介して供給される供給電流の電流値を調整する。前記導電パターンには、外部の電源装置から第１最低電流値が一定の外部電流が供給される。前記調整部は、前記導電パターンに接続する。前記調整部は、前記少なくとも１つの光源の数と前記第１最低電流値とに応じて前記供給電流の第２最低電流値を調整する。
【０００７】
本願に開示する光源モジュールにおいて、前記少なくとも１つの光源は、前記導電パターンの一端に接続する第１光源を含む。前記調整部は、前記一端と前記第１光源との間において前記導電パターンに接続する。
【０００８】
本願に開示する光源モジュールにおいて、前記調整部は、前記少なくとも１つの光源に対して直列に接続する。
【０００９】
本願に開示する光源モジュールにおいて、記調整部は、前記少なくとも１つの光源に対して並列に接続する。
【００１０】
本願に開示する光源モジュールにおいて、前記調整部は、少なくとも１つの抵抗器を含む。
【００１１】
本願に開示する光源モジュールにおいて、前記少なくとも１つの抵抗器の合成抵抗値は、前記少なくとも１つの光源の数と前記第１最低電流値とに応じた値を有する。
【００１２】
本願に開示する光源モジュールにおいて、前記少なくとも１つの抵抗器の合成抵抗値は、前記少なくとも１つの光源の数が増加するほど大きくなる。
【００１３】
本願に開示する光源モジュールにおいて、前記少なくとも１つの光源は、第１発光素子を有する光源と、第２発光素子を有する光源とを含む。前記第１発光素子は、前記第２発光素子が発光する光の相関色温度とは異なる相関色温度の光を発光する。前記調整部は、前記導電パターンを介して、前記第１発光素子及び前記第２発光素子のうちの少なくとも一方に接続する。
【００１４】
本願に開示する照明器具は、上記の光源モジュールと、電源装置とを備える。前記電源装置は、前記導電パターンに前記外部電流を供給する。
【発明の効果】
【００１５】
本発明の光源モジュール及び照明器具によれば、適用畳数が異なる複数タイプの照明器具に搭載する電源装置が共通部品であっても、光源から発光される光の光束の最小値を調整できる。
【図面の簡単な説明】
【００１６】
【図１】本発明の実施形態に係る照明器具を示す図である。
【図２】本発明の実施形態に係る照明器具の構成を示す分解斜視図である。
【図３】本発明の実施形態に係る照明器具の構成を示す分解斜視図である。
【図４】本発明の実施形態に係る光源基板を示す平面図である。
【図５】本発明の実施形態に係る照明器具の構成を示すブロック図である。
【図６】本発明の実施形態に係る光源部の構成を示す回路図である。
【発明を実施するための形態】
【００１７】
以下、図面を参照して本発明に係る光源モジュール及び照明器具の実施形態について説明する。なお、図中、同一又は相当部分については同一の参照符号を付して説明を繰り返さない。
【００１８】
まず、図１を参照して、本実施形態に係る照明器具１００について説明する。図１は、本実施形態に係る照明器具１００を示す図である。
【００１９】
図１に示すように、照明器具１００は、天井面Ｃのような取付け面に取り付けられる。本実施形態において、照明器具１００は、平面視略円形形状のシーリングライトである。本実施形態に係る照明器具１００は、複数タイプの照明器具１００を含む。複数タイプの照明器具１００はそれぞれ、適用畳数が異なる。即ち、複数タイプの照明器具１００はそれぞれ、使用される部屋の最適な広さが異なる。照明器具１００は、例えば、６畳タイプの照明器具１００、及び１２畳タイプの照明器具１００を含む。また、本実施形態において、照明器具１００は、動作モードとして、通常モードと保安灯モードとを有する。保安灯モードは、一般に「常夜灯モード」と呼ばれる場合もある。保安灯モードにおいて照明器具１００が発光する光の光量は、通常モードにおいて照明器具１００が発光する光の光量よりも小さい。通常モードにおいて照明器具１００が発光する光の光束は、例えば、２０００ルーメン以上である。保安灯モードにおいて照明器具１００が発光する光の光束は、例えば、１００ルーメン未満である。
【００２０】
次に、図１〜図３を参照して、本実施形態に係る照明器具１００の構成について説明する。図２及び図３は、本実施形態に係る照明器具１００の構成を示す分解斜視図である。詳しくは、図２は、上方から見た照明器具１００を示す。図３は、下方から見た照明器具１００を示す。
【００２１】
図２及び図３に示すように、照明器具１００は、本体カバー１、アダプター２、電源部３、無線通信部４、無線ケース５、本体部６、光源部７、光源カバー８、及びセード９を備える。光源部７は、光源モジュールの一例である。以下では、照明器具１００のうち、本体カバー１が設けられる側を「照明器具１００の上側」とし、その反対側を「照明器具１００の下側」として本実施形態を説明する。また、照明器具１００を平面視したときの径方向を「径方向ＤＲ」として、本実施形態を説明する。
【００２２】
本体カバー１は、本体部６と連結する。本実施形態において、本体カバー１は、ビスなどの締結部材によって本体部６と連結する。本体カバー１は、金属製の板状部材である。本体カバー１の材料は、光源部７及び電源部３の少なくとも一方から発せられる熱を吸収して外部へ放熱する材料であることが好ましい。本体カバー１は、例えば、鉄などの金属を材料として含む。
【００２３】
アダプター２は、電源部３に外部電源電圧を供給する。アダプター２は、連結部材２１と配線部材２２とを有する。連結部材２１は、配線部材２２と本体カバー１とを連結する。配線部材２２は、電源部３とソケットとを電気的に接続する。ソケットは、天井面Ｃに設けられる。アダプター２は、例えば、引掛けシーリングアダプターである。
【００２４】
電源部３は、無線通信部４及び光源部７に電力を供給する。電源部３は、電源装置３１、及び電源ケース３２を有する。電源装置３１は、電力線を介して無線通信部４及び光源部７に電力を供給する。電源装置３１は、適用畳数が異なる複数タイプの照明器具１００に共通に搭載される共通部品である。詳しくは、電源装置３１が供給する電流の最大電流値は、適用畳数に関わらず一定である。同様に、電源装置３１が供給する電流の最小電流値は、適用畳数に関わらず一定である。
【００２５】
電源装置３１は、電源ケース３２に収容される。電源ケース３２は、本体部６に配置される。
【００２６】
無線通信部４は、同じ通信規格を利用して無線通信を行う通信機器と通信する。具体的には、無線通信部４は、通信機器から送信された信号（電波）を少なくとも受信する。本実施形態に係る無線通信部４は、通信機器との間で各種信号（電波）を送受信する。無線通信部４及び通信機器は、例えば、無線通信部４と通信機器とをペアリングするための設定信号を互いに送受信する。無線通信部４と通信機器とをペアリングすることにより、無線通信部４と通信機器との間で無線通信が可能になる。本実施形態において、無線通信部４は、ＺＩＧＢＥＥ（登録商標）のような近距離無線規格を利用して無線通信を行う。また、通信機器は、照明器具１００から出射される光の光量及び相関色温度の少なくとも一方を制御する信号を送信する。通信機器は、例えば、ネットワークに接続されたブリッジである。なお、通信機器は、ブリッジに限定されず、例えば、ネットワークに接続されたルーターであってもよい。ネットワークは、例えば、無線ＬＡＮ（Ｌｏｃａｌ  Ａｒｅａ  Ｎｅｔｗｏｒｋ）である。
【００２７】
無線通信部４は、信号線を介して電源装置３１と接続する。無線通信部４は、通信機器から受信した電波に応じて電源装置３１に通信信号を送信する。通信信号は、照明器具１００から出射される光の光量及び相関色温度の少なくとも一方を制御する制御信号である。また、無線通信部４は、電源装置３１から照明器具１００の状態を示す信号を受信する。無線通信部４は、照明器具１００の状態を示す信号（電波）を通信機器へ送信する。照明器具１００の状態を示す信号は、例えば、照明器具１００の調光状態及び調色状態の少なくとも一方を示す。
【００２８】
無線ケース５は、無線通信部４を収容する。無線ケース５は、本体部６に配置される。無線ケース５は、無線通信部４が送受信する電波を遮ることを抑制する素材を材料として含むことが好ましい。本実施形態において、無線ケース５は、ポリプロピレンのような樹脂を材料として含む。
【００２９】
本体部６は、本体カバー１、アダプター２、電源部３、無線ケース５、光源部７、光源カバー８、及びセード９を支持する。本体部６は、本体シャーシ６１、及び金具６２を有する。本体シャーシ６１は、中央部分が下方に凹む円盤状の金属部材である。本体シャーシ６１の材料は、光源部７から発生される熱を吸収して外部へ放熱する材料であることが好ましい。本体シャーシ６１は、例えば、鉄のような金属を材料として含む。
【００３０】
本体シャーシ６１は、第１保持面６１ａ及び第１保持面６１ａとは反対側の第２保持面６１ｂを有する。第１保持面６１ａと第２保持面６１ｂとは平行である。本実施形態において、第１保持面６１ａは、本体シャーシ６１の上面を構成し、第２保持面６１ｂは、本体シャーシ６１の下面を構成する。
【００３１】
本体シャーシ６１は、開口部６１１及び収容空間６１２を有する。開口部６１１は、本体シャーシ６１の略中央に設けられる。開口部６１１は、本体シャーシ６１を貫通する。開口部６１１の形状は、平面視略円形形状である。開口部６１１には、アダプター２が挿通される。
【００３２】
収容空間６１２は、本体シャーシ６１の凹んだ部分に設けられる。詳しくは、収容空間６１２は、本体シャーシ６１の第１保持面６１ａ側に設けられる。収容空間６１２は、上方が開口する。収容空間６１２は、開口部６１１の外周に沿って設けられる。
【００３３】
収容空間６１２には、電源部３、無線通信部４、及び無線ケース５が配置される。換言すると、電源部３、無線通信部４、及び無線ケース５は、本体シャーシ６１の第１保持面６１ａ側に配置される。
【００３４】
本体カバー１は、第１保持面６１ａに配置される。本体カバー１は、収容空間６１２を覆うように本体シャーシ６１と連結する。本体カバー１と本体シャーシ６１とが連結すると、電源部３、無線通信部４、及び無線ケース５が本体カバー１によって覆われる。
【００３５】
金具６２は、本体シャーシ６１の第２保持面６１ｂに配置される。本体シャーシ６１は、金具６２を介してセード９を保持する。
【００３６】
光源部７は、光を出射する。光源部７は、光源基板７０を有する。本実施形態において、光源部７は、２つの光源基板７０を有する。光源基板７０は、プリント基板である。光源基板７０は、例えば、ガラスエポキシ樹脂を材料として含む。
【００３７】
各光源基板７０は、第１基板面７０ａ及び第１基板面７０ａとは反対側の第２基板面７０ｂを有する。第１基板面７０ａと第２基板面７０ｂとは平行である。本実施形態において、第１基板面７０ａは、光源基板７０の下面を構成し、第２基板面７０ｂは、光源基板７０の上面を構成する。
【００３８】
２つの光源基板７０の形状はそれぞれ、平面視略半円環状である。２つの光源基板７０は、平面視略円環形状を形成するように本体シャーシ６１の第２保持面６１ｂ側に配置される。詳しくは、２つの光源基板７０は、第２基板面７０ｂが第２保持面６１ｂと接触するように本体シャーシ６１に配置される。本実施形態において、２つの光源基板７０は、ビスなどの締結部材によって、本体シャーシ６１と連結する。
【００３９】
光源部７は、複数の光源７３及び２つの光源基板コネクタ７４を更に有する。
【００４０】
複数の光源７３は、光を出射する。光源７３は、例えば、ＳＭＤ（Ｓｕｒｆａｃｅ  Ｍｏｕｎｔ  Ｄｅｖｉｃｅ）チップである。
【００４１】
複数の光源７３は、２つの光源基板７０の第１基板面７０ａに分散して配置される。光源７３の数は、適用畳数に応じて異なる。具体的には、光源７３の数は、適用畳数が小さいタイプの照明器具１００ほど少なくなる。例えば、６畳タイプの照明器具１００の光源７３の数は、１２畳タイプの照明器具１００の光源７３の数よりも５０個程度少ない。
【００４２】
２つの光源基板コネクタ７４は、２つの光源基板７０の第１基板面７０ａにそれぞれ配置される。２つの光源基板コネクタ７４は、電力線を介して電源装置３１にそれぞれ接続する。
【００４３】
２つの光源基板コネクタ７４は、同じ光源基板７０に配置される光源７３と電気的に接続する。各光源７３には、同じ光源基板７０に配置される光源基板コネクタ７４を介して電源部３から内部電源電圧が供給される。各光源７３は、内部電源電圧が供給されると、光を出射する。
【００４４】
光源カバー８は、光源部７を覆う。光源カバー８は、平面視略円環形状である。光源カバー８は、光源部７を覆うように本体シャーシ６１と連結する。光源カバー８は、例えば、ビスのような締結部材によって本体シャーシ６１と連結する。本実施形態において、光源カバー８は、複数の光源７３から出射される光を拡散させる。光源カバー８は、無線通信部４が送受信する電波を遮ることを抑制する素材を材料として含むことが好ましい。光源カバー８は、例えば、樹脂を材料として含む。
【００４５】
セード９は、金具６２を介して、本体シャーシ６１の第２保持面６１ｂに着脱自在に配置される。セード９が第２保持面６１ｂに配置されると、光源部７及び光源カバー８がセード９によって覆われる。セード９は、無線通信部４が送受信する電波を遮ることを抑制する素材を材料として含むことが好ましい。光源カバー８は、例えば、樹脂を材料として含む。
【００４６】
照明器具１００は、緩衝部材１００ｃを更に備える。緩衝部材１００ｃは、天井面Ｃに対する照明器具１００の移動を抑制する。緩衝部材１００ｃによって、照明器具１００のガタツキが抑制される。
【００４７】
続いて、図１〜図４を参照して、本実施形態に係る光源基板７０について説明する。図４は、本実施形態に係る光源基板７０を示す平面図である。詳しくは、図４は、本実施形態に係る光源基板７０の第１基板面７０ａ側を示す。なお、本実施形態に係る２つの光源基板７０の構成は、略同一である。したがって、以下では、図４を参照して２つの光源基板７０のうちの一方の構成についてのみ説明し、他方の光源基板７０の構成についての説明は省略する。
【００４８】
光源基板７０は、光源配置領域７１０を含む。光源配置領域７１０には、複数の光源７３のうちの一部の数の光源７３が配置される。複数の光源７３のうちの一部の数の光源７３は、例えば、複数の光源７３のうちの半分の数の光源７３である。
【００４９】
光源配置領域７１０は、第１光源配置領域７１１及び第２光源配置領域７１２を含む。第１光源配置領域７１１は、第２光源配置領域７１２よりも径方向ＤＲの外側に設けられる。第１光源配置領域７１１は、光源基板７０の外周に沿って設けられる。第２光源配置領域７１２は、光源基板７０の内周に沿って設けられる。本実施形態において、第１光源配置領域７１１及び第２光源配置領域７１２は、光源基板７０において半円弧状に設けられる。
【００５０】
複数の光源７３は、第１発光素子７３１を有する光源７３及び第２発光素子７３２を有する光源７３を含む。換言すると、光源７３は、第１発光素子７３１又は第２発光素子７３２を有する。本実施形態において、第１発光素子７３１及び第２発光素子７３２は、ＬＥＤ（Ｌｉｇｈｔ  Ｅｍｉｔｔｉｎｇ  Ｄｉｏｄｅ）素子である。
【００５１】
第１発光素子７３１が発光する光の相関色温度と第２発光素子７３２が発光する光の相関色温度とは互いに異なる。詳しくは、第１発光素子７３１が発光する光の相関色温度は、第２発光素子７３２が発光する光の相関色温度よりも高い。第１発光素子７３１が発光する光の相関色温度は、例えば、６５００ケルビンであり、第２発光素子７３２が発光する光の相関色温度は、例えば、２７００ケルビンである。本実施形態において、照明器具１００の動作モードが保安灯モードである場合、複数の第２発光素子７３２のみが点灯状態となる。換言すると、複数の第２発光素子７３２は、保安灯として機能する。保安灯は、夜間などにおいて、人が安全に歩行できる最小限の照度を確保するための灯である。
【００５２】
複数の第１発光素子７３１の一部は、第１光源配置領域７１１に配置され、複数の第１発光素子７３１の残りは、第２光源配置領域７１２に配置される。また、複数の第２発光素子７３２の一部は、第１光源配置領域７１１に配置され、複数の第２発光素子７３２の残りは、第２光源配置領域７１２に配置される。第１発光素子７３１は、第１光源配置領域７１１において、第２発光素子７３２を挟むように配置される。換言すると、第１光源配置領域７１１において、第１発光素子７３１と第２発光素子７３２とは交互に配置される。同様に、第１発光素子７３１は、第２光源配置領域７１２において、第２発光素子７３２を挟むように配置される。換言すると、第２光源配置領域７１２において、第１発光素子７３１と第２発光素子７３２とは交互に配置される。
【００５３】
続いて、図１〜図５を参照して、本実施形態に係る電源装置３１の構成について更に説明する。図５は、本実施形態に係る照明器具１００の構成を示すブロック図である。
【００５４】
図５に示すように電源装置３１は、電源回路３１１及び電力制御回路３１２を含む。電源回路３１１は、図２を参照して説明したアダプター２を介して供給される外部電源電圧を内部電源電圧に変換する。具体的には、電源回路３１１は、光源部７に供給する第１内部電源電圧と、無線通信部４に供給する第２内部電源電圧とを生成する。電源回路３１１は、第１内部電源電圧を光源部７へ供給する。電源回路３１１は、第２内部電源電圧を無線通信部４へ供給する。
【００５５】
電力制御回路３１２は、第１内部電源電圧を制御する。詳しくは、電源回路３１１が光源部７へ供給する電流の電流値が、無線通信部４から送信される通信信号に対応する一定値となるように、第１内部電源電圧を制御する。この結果、無線通信部４から送信される通信信号に対応する光量及び相関色温度を有する光が照明器具１００から出射される。本実施形態に係る照明器具１００は、保安灯モードにおいて光量を例えば、５段階に調整可能である。電力制御回路３１２は、照明器具１００が出射する光の光量が５段階のいずれかの段階になるように、光源部７に定電流を供給する。
【００５６】
次に、図１〜図６を参照して、本実施形態に係る光源部７の構成について更に説明する。図６は、本実施形態に係る光源部７の構成を示す回路図である。詳しくは、図６は、２つの光源基板７０のうちの一方の回路構成を示す。なお、２つの光源基板７０の回路構成は略同一である。したがって、以下では、図６を参照して、２つの光源基板７０のうちの一方の回路構成についてのみ説明し、他方の光源基板７０の回路構成についての説明は省略する。
【００５７】
図６に示すように、光源基板７０には、複数の第１発光素子７３１のうちの一部の数の光源７３が配置される。複数の第１発光素子７３１のうちの一部の数の光源７３は、例えば、複数の第１発光素子７３１のうちの半分の数の光源７３である。同様に、光源基板７０には、複数の第２発光素子７３２のうちの一部の数の光源７３が配置される。複数の第２発光素子７３２のうちの一部の数の光源７３は、例えば、複数の第２発光素子７３２のうちの半分の数の光源７３である。以下、複数の第１発光素子７３１の一部を「複数の第１発光素子７３１」と記載する場合がある。同様に、複数の第２発光素子７３２の一部を「複数の第２発光素子７３２」と記載する場合がある。
【００５８】
図６に示すように、光源基板７０は、導電部７６０を有する。導電部７６０は、第１導電パターン７６１及び第２導電パターン７６２を含む。第１導電パターン７６１は、複数の第１発光素子７３１を直列に接続する。第２導電パターン７６２は、複数の第２発光素子７３２を直列に接続する。
【００５９】
導電部７６０には、図５を参照して説明した電源回路３１１から最低電流値が一定の電流が供給される。電源回路３１１から供給された電流は、導電部７６０を介して複数の第１発光素子７３１及び複数の第２発光素子７３２の少なくとも一方に供給される。なお、電源回路３１１から供給される電流は、外部電流の一例であり、複数の第１発光素子７３１及び複数の第２発光素子７３２の少なくとも一方に供給される電流は、供給電流の一例である。
【００６０】
導電部７６０は、光源基板コネクタ７４と接続する。光源基板コネクタ７４には、電源回路３１１から供給される電流が入力される。したがって、電源回路３１１から光源基板コネクタ７４に供給された電流が導電部７６０に供給される。
【００６１】
光源基板コネクタ７４は、第１端子部７４１、及び第２端子部７４２を有する。第１端子部７４１は、第１導電パターン７６１と接続する。詳しくは、第１端子部７４１は、第１プラス端子７４１ａ、及び第１マイナス端子７４１ｂを含む。第１プラス端子７４１ａは、第１導電パターン７６１の一端と接続する。第１マイナス端子７４１ｂは、第１導電パターン７６１の他端と接続する。以下、第１導電パターン７６１の一端を「第１入力端７６１ａ」と記載し、第１導電パターン７６１の他端を「第１出力端７６１ｂ」と記載する。
【００６２】
第１端子部７４１と第１導電パターン７６１とが接続することにより、電源回路３１１から第１端子部７４１に入力された電流が第１導電パターン７６１に供給される。これにより、複数の第１発光素子７３１に電流が供給される。換言すると、電源回路３１１から供給された電流が第１導電パターン７６１を介して複数の第１発光素子７３１に供給される。複数の第１発光素子７３１は、電流が供給されると発光する。
【００６３】
複数の第１発光素子７３１は、第１入力側発光素子７３１ａ及び第１出力側発光素子７３１ｂを含む。第１入力側発光素子７３１ａは、複数の第１発光素子７３１のうち、第１入力端７６１ａに最も近い第１発光素子７３１である。第１出力側発光素子７３１ｂは、複数の第１発光素子７３１のうち、第１出力端７６１ｂに最も近い第１発光素子７３１である。
【００６４】
第２端子部７４２は、第２導電パターン７６２と接続する。詳しくは、第２端子部７４２は、第２プラス端子７４２ａ及び第２マイナス端子７４２ｂを含む。第２プラス端子７４２ａは、第２導電パターン７６２の一端と接続する。第２マイナス端子７４２ｂは、第２導電パターン７６２の他端と接続する。以下、第２導電パターン７６２の一端を「第２入力端７６２ａ」と記載し、第１導電パターン７６１の他端を「第２出力端７６２ｂ」と記載する。
【００６５】
第２端子部７４２と第２導電パターン７６２とが接続することにより、電源回路３１１から第２端子部７４２に入力された電流が第２導電パターン７６２に供給される。これにより、複数の第２発光素子７３２に電流に供給される。換言すると、電源回路３１１から供給された電流が第２導電パターン７６２を介して複数の第２発光素子７３２に供給される。複数の第２発光素子７３２は、電流が供給されると発光する。
【００６６】
複数の第２発光素子７３２は、第２入力側発光素子７３２ａ及び第２出力側発光素子７３２ｂを含む。第２入力側発光素子７３２ａは、複数の第２発光素子７３２のうち、第２入力端７６２ａに最も近い第２発光素子７３２である。第２出力側発光素子７３２ｂは、複数の第２発光素子７３２のうち、第２出力端７６２ｂに最も近い第２発光素子７３２である。なお、第２入力側発光素子７３２ａは、第１光源の一例である。
【００６７】
光源部７は、調整部７５を更に備える。調整部７５は、光源７３に供給される電流の電流値を調整する。本実施形態において、調整部７５は、複数の第２発光素子７３２に供給される電流の電流値を調整する。具体的には、調整部７５は、適用畳数が異なる複数タイプの照明器具１００のいずれにおいても、複数の第２発光素子７３２に供給される電流の最低電流値が特定の値となるように、複数の第２発光素子７３２に供給される電流の電流値を調整する。換言すると、調整部７５は、適用畳数が異なる複数タイプのいずれにおいても、複数の第２発光素子７３２に供給される電流の最低電流値を略同じ値にする。したがって、調整部７５は、適用畳数が異なる複数タイプの照明器具１００のいずれにおいても、照明器具１００から出射される光の光量のうちの最も小さい光量を略同じ光量にする。
【００６８】
なお、複数の第２発光素子７３２に供給される電流の電流値は、照明器具１００の動作モードが保安灯モードである場合に最低電流値となる。本実施形態では、保安灯モードにおいて、照明器具１００から出射される光の光量は、５段階で調整される。５段階のうち、光量が最も小さくなる段階において、複数の第２発光素子７３２に供給される電流の電流値が最低電流値となる。
【００６９】
調整部７５は、第２入力端７６２ａと第２入力側発光素子７３２ａとの間において、第２導電パターン７６２に接続する。また、調整部７５は、第２出力端７６２ｂと第２出力側発光素子７３２ｂとの間において、第２導電パターン７６２に接続する。
【００７０】
調整部７５は、少なくとも１つの抵抗器７５１を含む。本実施形態において、調整部７５は、２つの抵抗器７５１を含む。２つの抵抗器７５１はそれぞれ、直列に接続された複数の第２発光素子７３２と並列に接続する。本実施形態において、各抵抗器７５１は、固定抵抗器である。
【００７１】
２つの抵抗器７５１の合成抵抗値は、第２発光素子７３２の数と電源回路３１１から供給される電流の最低電流値とに応じた値を有する。本実施形態では、電源回路３１１から光源部７に供給される電流の最低電流値は、適用畳数が異なる複数タイプの照明器具１００のうち、適用畳数が最も大きいタイプの照明器具１００に合わせて設定されている。換言すると、第２発光素子７３２の数が最も多い照明器具１００に合わせて設定されている。この場合、６畳タイプの照明器具１００に設ける調整部７５の合成抵抗値は、１２畳タイプの照明器具１００に設ける調整部７５の合成抵抗値よりも小さい。即ち、合成抵抗値は、第２発光素子７３２の数が増加するほど大きくなる。
【００７２】
以上、本発明の本実施形態について説明した。本実施形態に係る照明器具１００は、複数の適用畳数に対応する複数タイプの照明器具１００を含む。各タイプの照明器具１００の光源７３の数は適用畳数が小さい程少なくなる。例えば、６畳タイプの照明器具１００の光源７３の数は、１２畳タイプの照明器具１００の光源７３の数よりも少ない。適用畳数が異なる複数タイプの照明器具１００に搭載する電源装置３１が共通部品である場合、電源装置３１から供給される電流の最低電流値は、適用畳数に関わらず一定である。したがって、例えば、６畳タイプの照明器具１００において、各第２発光素子７３２に流れる電流の電流値が、１２畳タイプの照明器具１００において、各第２発光素子７３２に流れる電流の電流値と比べて大きくなる場合がある。換言すると、６畳タイプの照明器具１００において、各第２発光素子７３２が発光する光の光束の最小値は、１２畳タイプの照明器具１００において、各第２発光素子７３２が発光する光の光束の最小値よりも大きくなる場合がある。本実施形態によれば、光源部７は、調整部７５を備える。調整部７５は、各第２発光素子７３２に供給される電流の電流値を調整する。したがって、適用畳数が異なる複数タイプの照明器具１００に搭載する電源装置３１が共通部品であっても、各第２発光素子７３２から発光される光の光束の最小値を調整できる。詳しくは、電源装置３１から各第２発光素子７３２に供給される電流の最低電流値が適用畳数に関わらず一定であっても、調整部７５は、各第２発光素子７３２が発光する光の光束の最小値を適用畳数に関わらず略一定にする。
【００７３】
また、本実施形態によれば、抵抗器７５１の抵抗値を調整することにより、各第２発光素子７３２が発光する光の光束の最小値を調整することができる。したがって、各第２発光素子７３２が発光する光の光束の最小値を容易に調整することができる。
【００７４】
また、本実施形態において、調整部７５は、第２導電パターン７６２に接続する。換言すると、調整部７５は、複数の第２発光素子７３２に接続する。複数の第２発光素子７３２は、保安灯として機能する。したがって、保安灯が明るくなりすぎることを抑制できる。
【００７５】
また、本実施形態において、調整部７５は、２つの抵抗器７５１を有する。これにより、各抵抗器７５１にかかる負荷を分散させることができる。
【００７６】
また、本実施形態において、抵抗器７５１は、固定抵抗器である。一般的に、固定抵抗器は、可変抵抗器よりも小型である。したがって、抵抗器７５１が可変抵抗器である場合と比べて照明器具１００を小型化することができる。
【００７７】
また、本実施形態において、光源配置領域７１０において、第１発光素子７３１と第２発光素子７３２とは交互に配置される。これにより、第１発光素子７３１及び第２発光素子７３２のいずれか一方のみが点灯状態である場合に照度ムラの発生が抑制される。
【００７８】
なお、本実施形態において、調整部７５が２つの抵抗器７５１を有する構成を説明したが、調整部７５が有する抵抗器７５１の数は、１つ又は３つ以上であってもよい。
【００７９】
また、本実施形態において、抵抗器７５１が固定抵抗器である場合を説明したが、抵抗器７５１は、可変抵抗器であってもよい。あるいは、抵抗器７５１は、ジャンパー抵抗器であってもよい。抵抗器７５１がジャンパー抵抗器である場合、調整部７５は、複数の第２発光素子７３２と直列に接続されてもよい。具体的には、調整部７５の一端が第２入力端７６２ａと接続し、調整部７５の他端が第２入力側発光素子７３２ａと接続してもよい。あるいは、調整部７５の一端が第２出力端７６２ｂと接続し、調整部７５の他端が第２出力側発光素子７３２ｂと接続してもよい。
【００８０】
また、本実施形態において、調整部７５が第２導電パターン７６２に接続する場合を説明したが、調整部７５は、第１導電パターン７６１に接続してもよい。
【００８１】
また、本実施形態において、光源部７が複数の光源７３を有したが、光源部７が有する光源７３の数は、１つであってもよい。
【００８２】
また、本実施形態において、光源部７が２つの光源基板７０を有したが、光源部７が有する光源基板７０の数は、１つ又は３つ以上であってもよい。
【００８３】
また、本実施形態において、光源配置領域７１０は円環状であったが、光源配置領域７１０は、円環状でなくてもよい。また、光源配置領域７１０は、各光源基板７０において、分散して配置されてもよい。
【００８４】
また、本実施形態において、第１発光素子７３１及び第２発光素子７３２がＬＥＤ素子である場合を説明したが、第１発光素子７３１及び第２発光素子７３２は、ＬＥＤ素子に限定されない。第１発光素子７３１及び第２発光素子７３２は、例えば、有機ＥＬ（Ｏｒｇａｎｉｃ  Ｅｌｅｃｔｒｏ  Ｌｕｍｉｎｅｓｃｅｎｃｅ）素子であってもよい。
【００８５】
また、本実施形態において、第１発光素子７３１が発光する光の相対色温度と第２発光素子７３２が発光する光の相対色温度とが異なる場合を説明したが、第１発光素子７３１が発光する光の相対色温度と第２発光素子７３２が発光する光の相対色温度とは同じであってもよい。
【００８６】
また、本実施形態において、第１発光素子７３１と第２発光素子７３２とが第１光源配置領域７１１において交互に配置される場合を説明したが、第１発光素子７３１と第２発光素子７３２とは交互に配置されていなくてもよい。
【００８７】
同様に、本実施形態において、第１発光素子７３１と第２発光素子７３２とが第２光源配置領域７１２において交互に配置される場合を説明したが、第１発光素子７３１と第２発光素子７３２とは、第２光源配置領域７１２において交互に配置されていなくてもよい。
【００８８】
以上、本発明の実施形態について、図面（図１〜図６）を参照しながら説明した。但し、本発明は、上記の実施形態に限られるものではなく、その要旨を逸脱しない範囲で種々の態様において実施することが可能である。また、上記の実施形態で示す形状等は、一例であって特に限定されるものではなく、本発明の効果から実質的に逸脱しない範囲で種々の変更が可能である。
【００８９】
例えば、本発明の実施形態では、シーリングライトに本発明が適用される場合を説明したが、本発明は、例えば、ベースライト又はダウンライトにも適用可能である。
【産業上の利用可能性】
【００９０】
本発明は、例えば、光源モジュールの分野に有用である。また、本発明は、例えば、照明器具の分野に有用である。
【符号の説明】
【００９１】
３            電源部
７            光源部
３１          電源装置
７０          光源基板
７３          光源
７５          調整部
１００        照明器具
７３１        第１発光素子
７３２        第２発光素子
７３２ａ      第２入力側発光素子（入力側光源）
７３２ｂ      第２出力側発光素子（出力側光源）
７５１        抵抗器
７６０        導電パターン
７６１        第１導電パターン
７６２        第２導電パターン
７６２ａ      第２入力端（入力端）
７６２ｂ      第２出力端（出力端）
【図１】
2020053318.tif 000003
【図２】
2020053318.tif 000004
【図３】
2020053318.tif 000005
【図４】
2020053318.tif 000006
【図５】
2020053318.tif 000007
【図６】
2020053318.tif 000008